(57)【要約】      （修正有）【課題】跳び箱の上段ブロックを安定に、かつ容易に積み降ろしできる上段ブロック積み降ろし用の孔構造を提供する。【解決手段】上段ブロックにはその横板４の部位に積み降ろしに使用する貫通孔１００が設けられている。作業者６は妻板３側に立ってこの貫通孔１００に指先を入れることにより、腕８の部分が上段ブロックのコーナー側に接する状態となり、上段ブロックは指先７のみでなく腕８によっても支持されるため、安定した積み降ろしを行うことができる。【選択図】図６
0003145593.tif 000002
【実用新案登録請求の範囲】
【請求項１】
下段ブロックから上段ブロックまで複数台に積み重ねられて構成される跳び箱の前記上段ブロックの積み降ろし時に使用される上段ブロック積み降ろし用の孔構造であって、該孔構造は、マット体（帆布により覆われているクッション体）の下端近傍において前記上段ブロックの両横板の部位に形成される貫通孔からなり、該貫通孔は、前記跳び箱の正面側（妻板側）に位置する作業者の両手の届く位置に形成され、その両手の指先の緩挿可能の大きさからなることを特徴とする上段ブロック積み降ろし用の孔構造。
【請求項２】
前記貫通孔が、横板の長手方に伸びる長孔からなることを特徴とする請求項１に記載の上段ブロック積み降ろし用の孔構造。
【請求項３】
前記貫通孔の縁部が、クッション材で覆われることを特徴とする請求項１又は２に記載の上段ブロック積み降ろし用の孔構造。
【考案の詳細な説明】
【技術分野】
【０００１】
本考案は、跳び箱の上段ブロックに形成される孔構造であり、上段ブロックを安定的に、かつ容易に積み降ろしできる上段ブロック積み降ろし用の孔構造に関する。
【背景技術】
【０００２】
跳び箱としては各種の形成のものがあるが図８に示すように下段ブロックから上段ブロックまでを積み重ねる略三角形状のものからなり、公知技術としても図９に示す「特許文献１」が一例として挙げられる。
【特許文献１】２０００−１１８６４９号（図１）
【考案の開示】
【考案が解決しようとする課題】
【０００３】
図８に示す跳び箱は８段重ねのものからなり、その上段には上段ブロックを積み降ろしするための貫通孔１００Ａが上段ブロックの正面側（妻板側）に形成される。
また、図９は「特許文献１」の「特開２０００−１１８６４９号」の「飛び箱」の「図１」の（イ），（ロ）を示すものである。この「特許文献１」の「飛び箱」はその移動を容易にするため下段にキャスタを設けた点に特徴を有するものであるが、その上段ブロックには図８と同様に正面側（妻板側）に貫通孔１００Ｂを設けたものが開示されている。これ等の貫通孔１００Ａ，１００Ｂは図示のように長孔からなり、妻板の上下方向における略中間部に設けられている。
【０００４】
図１０（ａ），（ｂ）は図８，図９に示した跳び箱（飛び箱）を積み降ろしする場合の様子を示すものである。即ち、作業者６はその両手の指先７を貫通孔１００Ａや１００Ｂに挿入して上段ブロックを持ち上げ又は持ち下げる作業をすることになるが、図８や図９に示すような位置にある貫通孔１００Ａや１００Ｂを使用する場合は図１０（ｂ）に示すように上段ブロックが上下左右にゆれて安全な積み降ろしができない問題点がある。特に、上段ブロックは他のブロックよりも重く（帆布で覆われたクッション材（マット体）が一体的に取り付けられているため）、前記のように安定した積み降ろしが困難となる問題点がある。
【０００５】
本考案は、以上の問題点を解決すべく考案されたものであり、上段ブロックの積み降ろしが安全、かつ容易にできる簡便構造の上段ブロック積み降ろし用の孔構造を提供することを目的とする。
【課題を解決するための手段】
【０００６】
本考案は、以上の目的を達成するために、請求項１の考案は、下段ブロックから上段ブロックまで複数台に積み重ねられて構成される跳び箱の前記上段ブロックの積み降ろし時に使用される上段ブロック積み降ろし用の孔構造であって、該孔構造は、マット体（帆布により覆われているクッション体）の下端近傍において前記上段ブロックの両横板の部位に形成される貫通孔からなり、該貫通孔は、前記跳び箱の正面側（妻板側）に位置する作業者の両手の届く位置に形成され、その両手の指先の緩挿可能の大きさからなることを特徴とする。
【０００７】
また、請求項２の考案は、前記貫通孔が、横板の長手方に伸びる長孔からなることを特徴とする。
【０００８】
また、請求項３の考案は、前記貫通孔の縁部が、クッション材で覆われることを特徴とする。
【考案の効果】
【０００９】
本考案の請求項１の上段ブロック積み降ろし用の孔構造によれば、貫通孔が横板に形成され、その位置が、マット体の下端近傍で作業者の両手がとどき、かつ両手先が緩挿できる貫通孔からなり、上段ブロックの積み降ろし時には両手の腕の部分が上段ブロックの横板と妻板とのコーナ部に当り、安定した積み降ろしができる。また、従来に比べて積み降ろし作業が容易にできる。
【００１０】
また、請求項２の上段ブロック積み降ろし用の孔構造によれば、貫通孔が横板の長手方向に伸びる長孔にすることにより両手の指先の挿入と貫通孔の把持が容易に、かつ確実にでき、安定した積み降ろしができる。
【００１１】
また、請求項３の上段ブロック積み降ろし用の孔構造によれば、クッション材を設けることにより両手先の保護ができ、より安定で、かつ容易に積み降ろしができる。
【考案を実施するための最良の形態】
【００１２】
以下、本考案の上段ブロック積み降ろし用の孔構造の実施の形態を図面を参照して詳述する。
【実施例１】
【００１３】
図１，図２，図３に示すように跳び箱１の上段ブロック２は、正面及び背面を形成する妻板３，３と、この妻板３，３間の縁部を互いに連結する横板４，４と、この妻板３，３及び横板４，４で囲まれた略載頭錘型箱体の上面の開口部を閉止するマット体５（帆布により覆われたクッション体）等とからなる。
以上の形状の上段２の横板４，４の前後には本考案の主要構成要素である貫通孔１００が貫通形成される。なお、本実施例では貫通孔１００は長孔からなるが勿論これに限定するものではない。
【００１４】
図４は貫通孔１００の形成場所や寸法を示すものである。前記のように上段ブロック２にはマット体５があるため重心が上方側に寄っている。よって、貫通孔１００はマット体５の下端に極力近い位置が望ましい。即ち、図４の寸法ａは貫通孔１００が貫通形成可能の位置が望ましく極めて小さな寸法からなる。一例としてａは２０ｍｍ程度のものでよい。また、貫通孔１００の一端の妻板３からの距離ｂは妻板３側に積み降ろしのために立っている作業者の手先が挿入できる寸法がよく、例えば、妻板から３００ｍｍ程度が１つの目安となる。
【００１５】
また、貫通孔１００そのものの寸法は手の指先７が緩挿し得る程度のものでよく、例えば、図５に示すように指寸法ｄを約９０ｍｍとしてＷは１５０ｍｍでＢ３０ｍｍ程度のものが１つの目安として挙げられる。
【００１６】
図６（ａ），（ｂ）は本実施例の貫通孔１００を形成する上段ブロック２の積み降ろし作業の様子を示すものである。図６（ａ）に示すように、作業者６は上段ブロック２の妻板３と対峙する位置に立ち、その両手を横板４側に回して横板４に形成されている貫通孔１００内に指先７を挿入する。図６（ｂ）はこの状態を上方から見た目であり、図示のように作業者６はその腕８の部分が上段ブロック２のコーナ側に接する状態となる。従って、上段ブロック２は指先７のみでなく、腕８によっても支持される。この姿勢で上段ブロックを積み上げ又は降ろすことになるため、上段ブロック２は安定した状態で積み降ろしができ、その作業も容易に行われることになる。勿論、貫通孔１００の孔位置は図６（ａ），（ｂ）に示す作業のやり易い位置に及び形状のものからなるため従来のものと異なり、左右，上下ゆれのない状態での積み降ろしが可能になる。
【実施例２】
【００１７】
図図７（ａ），（ｂ）は別の実施例を示す。前記の貫通孔１００は横板４に長孔を単に穿孔したものからなり、その縁部はムキ出しのままのものからなる。勿論、貫通孔はムキ出しのままでもよいが、この縁部には指先７が当るため、場合により指先７を痛める恐れがある。よって、本実施例ではこの貫通孔１００の縁部にクッション材９を嵌め込んだものからなる。このクッション材９の材質や形状は任意のものでよいが、例えば、図示のようなグロメットタイプのものが一例として採用される。このクッション材９により積み降ろし時における指先７が保護され、その損傷等の発生が防止される。
【００１８】
本考案の上段ブロック積み降ろし用の孔構造は以上のものからなるが、その形状や配置等については前記のものに限定するものではなく、同一技術的範疇のものが採用されることは勿論である。
【産業上の利用可能性】
【００１９】
本考案の上段ブロック積み降ろし用の孔構造は跳び箱に適用されるものであるが、その跳び箱の形態は任意のものでよく、その利用範囲は広い。
【図面の簡単な説明】
【００２０】
【図１】本考案に係る跳び箱の外観構造を示す部分斜視図。
【図２】本考案に跳び箱の貫通孔部位における横断面図。
【図３】本考案に係る跳び箱の側面図。
【図４】本考案に係る跳び箱の貫通孔まわりの寸法を示す部分側面図。
【図５】本考案に係る貫通孔の寸法を示す部分側面図。
【図６】本考案に係る上段ブロックの積み降ろし作業を説明するための模式的側面図（ａ）及びその上面図（ｂ）。
【図７】クッション材で覆われた貫通孔を示す側面図（ａ）及び（ａ）のＡ−Ａ線断面図（ｂ）。
【図８】従来の跳び箱の一例を示す斜視図。
【図９】従来の公知技術の跳び箱の正面図。
【図１０】従来の跳び箱における上段ブロックの積み降ろし作業を説明するための模式的側面図及びその上面図。
【符号の説明】
【００２１】
１      跳び箱
２      上段ブロック
３      妻板
４      横板
５      マット板
６      作業者
７      指先
８      腕
９      クッション材
１００  貫通孔
【図１】
0003145593.tif 000003
【図２】
0003145593.tif 000004
【図３】
0003145593.tif 000005
【図４】
0003145593.tif 000006
【図５】
0003145593.tif 000007
【図６】
0003145593.tif 000008
【図７】
0003145593.tif 000009
【図８】
0003145593.tif 000010
【図９】
0003145593.tif 000011
【図１０】
0003145593.tif 000012